(57)【要約】【課題】既存のハンガーに手軽に取り付け可能な物干し竿に固定するための補助具により、ハンガーの落下や移動を防止する。また、屋外に洗濯物を干した際の鳥の害を受ける状況に対応するため、防鳥も可能とする。【解決手段】反発弾性・摩擦力を有するゴムスポンジ等をハンガーのフック部に装着することにより、物干し竿に密着・固定させ、ハンガーの落下や移動を防止する。また、鳥が嫌うとされる目玉模様の塗りつぶしを施した場合、あわせて防鳥効果も期待できる。【選択図】図１
0003157741.tif 000002
【実用新案登録請求の範囲】
【請求項１】
反発弾性・摩擦力を有するゴムスポンジ等を用い、既存のハンガーに手軽に取り付け物干し竿に固定し、ハンガーの落下や移動を防止することを特徴とするハンガー補助具。
【請求項２】
鳥が嫌うとされる目玉模様に塗りつぶし部分を施した反発弾性・摩擦力を有するゴムスポンジ等を用い、既存のハンガーに手軽に取り付け、物干し竿に固定しハンガーの落下や移動を防止するとともに防鳥を特徴とするハンガー補助具。
【考案の詳細な説明】
【技術分野】
【０００１】
本考案は、ハンガーの補助具に関するものである。
【背景技術】
【０００２】
物干し竿にハンガーを吊るした際、風によるハンガーの落下や移動防止のため、物干し竿やハンガーに装着する補助具を使用したり、物干し竿やハンガーそのものの形状に手を加えて落下や移動防止を可能としている。
【先行技術文献】
【特許文献】
【０００３】
【特許文献１】特開２００８−１４９０７８号公報
【特許文献２】特開２００７−３３０７３９号公報
【特許文献３】特開２００７−２６８２２５号公報
【特許文献４】特開２００７−８９６６０号公報
【特許文献５】特開２００６−１８１３０１号公報
【特許文献６】特開２００３−３３４３９９号公報
【特許文献７】特開平１１−１６４９９３号公報
【特許文献８】特開平１０−７６０９７号公報
【特許文献９】特開平９−８４６８３号公報
【特許文献１０】実開平７−２４２９５号公報
【特許文献１１】実開平６−８５６９２号公報
【特許文献１２】実開平６−６６５９１号公報
【特許文献１３】実開平６−３１５８４号公報
【特許文献１４】実開平６−３２９４号公報
【特許文献１５】実開平５−７０４９１号公報
【特許文献１６】実開平５−２６０９２号公報
【特許文献１７】実用第３１５２１４３号公報
【特許文献１８】実用第３１４２５５５号公報
【考案の概要】
【考案が解決しようとする課題】
【０００４】
既存のハンガーに手軽に取り付け可能な物干し竿に固定するための補助具により、ハンガーの落下や移動を防止する。また、屋外に洗濯物を干した場合、鳥の害を受けることもあるため、防鳥可能であれば更によい。
【課題を解決するための手段】
【０００５】
本考案は、反発弾性・摩擦力を有するゴムスポンジ等をハンガーのフック部に装着することにより、物干し竿に固定することを特徴とする。また、反発弾性・摩擦力を有するゴムスポンジ等に鳥が嫌うとされる目玉模様の塗りつぶしを施した場合、防鳥も特徴とする。
【考案の効果】
【０００６】
本考案のハンガー補助具は、反発弾性・摩擦力を有するゴムスポンジ等を用いるため、ハンガーや物干し竿を傷つけることなく、また、既存のハンガーに手軽に装着が可能という利点がある。更に、本考案のハンガー補助具は、鳥が嫌うとされる目玉模様の塗りつぶしを施した場合、屋外に洗濯物を干した際、防鳥の効果が期待できるという利点がある。
【図面の簡単な説明】
【０００７】
【図１】図１はハンガー補助具を装着し、物干し竿に掛けた時の斜視図である。（実施例１）
【図２】図２はハンガー補助具を装着し、物干し竿に掛けた時のハンガーフック部横図である。（実施例１）
【図３】図３はハンガー補助具の斜視図である。（実施例１）
【図４】図４は図３の線a−bにおける断面図である。（実施例１）
【図５】図５は目玉模様の塗りつぶしを施したハンガー補助具の正面図である。（実施例２）
【図６】図６は図５のハンガー補助具を装着し、物干し竿に掛けた時のハンガーフック部横図である。（実施例２）
【考案を実施するための形態】
【０００８】
半球体平面部７に近い半球体球面部９の一点（図３および図４のｃ）と半球体平面部７から遠い（図３および図４のｃより半球体球面部中心１０に近い）半球体球面部９の一点（図３および図４のｄ）を、半球体平面部中心８（図３および図４の８）と半球体球面部中心１０（図３および図４の１０）を結ぶ線上を通ることにより安定性を保ち、ハンガーフック部の差し込み口を貫通させた（図３および図４のｃ−ｄ）反発弾性・摩擦力を有するゴムスポンジ等を用いた半球体により、ハンガーや物干し竿を傷つけず、また、半球体のため物干し竿に密着する面が多くなり更に物干し竿上でのハンガー補助具の回転を防ぎ（ハンガーの移動防止）、既存のハンガーに手軽に装着可能なハンガー補助具を実現した。
【実施例１】
【０００９】
図１はハンガー補助具を装着し、物干し竿に掛けた時の斜視図であり、図２は図１のハンガーフック部横図であるが、ハンガーフック部差し込み口（図３および図４のｃ−ｄ）は半球体平面部７と平行ではないことにより、ハンガーフック部と物干し竿の密着度を高める。
【００１０】
ハンガーフック部開閉度合いにより、ハンガーフックを図３および図４のｃからｄ方向へ差し込むか、反対にｄからｃ方向へ差し込むかを選び、ハンガーと物干し竿とのより安定性および固定性を求めることができる。
【実施例２】
【００１１】
図５は、中心を円形に塗りつぶし、その周りを線で囲み、目玉のような模様を施したハンガー補助具の正面図であり、図６は図５のハンガーフック部横図である。ハンガーフック部の装着については、実施例１と同様であるが、目玉のような模様により更に防鳥効果が期待できる。
【産業上の利用可能性】
【００１２】
反発弾性・摩擦力を有するゴムスポンジ等を用いるため、ハンガーや物干し竿を傷つけず手軽に装着が可能なため、既存のハンガーも活用できる。更に、鳥が嫌うとされる目玉模様の塗りつぶしを施し、屋外に洗濯物を干した際、防鳥効果が期待できる。
【符号の説明】
【００１３】
１    ハンガー補助具
２    ハンガー
３    物干し竿
４    ハンガーフック部
５    ハンガーフック差し込み部（貫通穴）
６    塗りつぶし部分
７    半球体平面部
８    半球体平面部中心
９    半球体球面部
１０    半球体球面部中心
【図１】
0003157741.tif 000003
【図２】
0003157741.tif 000004
【図３】
0003157741.tif 000005
【図４】
0003157741.tif 000006
【図５】
0003157741.tif 000007
【図６】
0003157741.tif 000008
【手続補正書】
【提出日】平成21年9月7日(2009.9.7)
【手続補正１】
【補正対象書類名】明細書
【補正対象項目名】００１２
【補正方法】変更
【補正の内容】
【００１２】
反発弾性・摩擦力を有するゴムスポンジ等を用いるため、ハンガーや物干し竿を傷つけず手軽に装着が可能なため、既存のハンガーも活用できる。更に、鳥が嫌うとされる目玉模様の塗りつぶしを施し、屋外に洗濯物を干した際、防鳥効果が期待できる。また、球面部に絵や装飾を施せば、楽しく物干しもできる。
【手続補正書】
【提出日】平成21年9月19日(2009.9.19)
【手続補正１】
【補正対象書類名】明細書
【補正対象項目名】０００１
【補正方法】変更
【補正の内容】
【０００１】
本考案は、反発弾性・摩擦力を有するゴムスポンジ等を用い、ハンガーに手軽に取り付け物干し竿に固定し、ハンガーの落下や移動を防止することを特徴とし、更に、鳥が嫌うとされる目玉模様の塗りつぶしを施した場合、防鳥も特徴とする、ハンガーの補助具に関するものである。
【手続補正書】
【提出日】平成21年9月29日(2009.9.29)
【手続補正１】
【補正対象書類名】明細書
【補正対象項目名】００１２
【補正方法】変更
【補正の内容】
【００１２】
反発弾性・摩擦力を有するゴムスポンジ等を用いるため、ハンガーや物干し竿を傷つけず手軽に装着が可能なため、既存のハンガーも活用できる。更に、鳥が嫌うとされる目玉模様の塗りつぶしを施し、屋外に洗濯物を干した際、防鳥効果が期待できる。
【手続補正書】
【提出日】平成21年10月4日(2009.10.4)
【手続補正１】
【補正対象書類名】実用新案登録請求の範囲
【補正対象項目名】全文
【補正方法】変更
【補正の内容】
【実用新案登録請求の範囲】
【請求項１】
弾性及び摩擦力を有する材料を用い立体成型した物体に、ハンガーフック部の差し込み孔を設け、ハンガーフック部を差し込み、物体一部分を物干し竿に密着・固定させ、ハンガーの落下や移動を防止することを特徴とするハンガー補助具。
【請求項２】
目玉模様の塗りつぶしを施した（図５及び図６）、防鳥も特徴とする請求項１記載のハンガー補助具。
【手続補正書】
【提出日】平成21年12月20日(2009.12.20)
【手続補正１】
【補正対象書類名】実用新案登録請求の範囲
【補正対象項目名】全文
【補正方法】変更
【補正の内容】
【実用新案登録請求の範囲】
【請求項１】
弾性及び摩擦力を有する材料を用い立体成型した物体に、ハンガーフック部の差し込み孔を設け、ハンガーフック部を差し込み、物体一部分を物干し竿に密着・固定させ、ハンガーの落下や移動を防止することを特徴とするハンガー補助具。
【請求項２】
前記立体成型した物体に、防鳥のための目玉模様の塗りつぶしを施したことを特徴とする、請求項１に記載のハンガー補助具。